(57)【要約】【課題】  バック部の安定性および通気性を向上するブラジャーを提供すること。【解決手段】  バック部１６は、外側のバック表布１６１と肌側のバック裏布１６３とを有し、その間に２層のシート状のポリウレタン製芯材１６２，１６４を挟んで構成されている。バック部１６の上縁部１６ｃと下縁部１６ｄとが、その間に配置される本体部１６ｅよりも高い圧縮率で薄く形成されている。バック部１６の長手方向において、バック部１６の上縁１６ａと下縁１６ｂとが波状に形成されている。バック部１６の上縁部１６ｃと本体部１６ｅとの上側境界線１６ｆおよび下縁部１６ｄと本体部１６ｅとの下側境界線１６ｇは、バック部１６の中央に向かったり、バック部１６の外側に向かったりし、蛇行状に延在している。【選択図】  図１
2006322124.tif 000002
【特許請求の範囲】
【請求項１】
着用状態において、
左右一対のカップ部と、前記カップ部の脇側に連結し背部に延びる左右一対のバック部と、を備え、
前記バック部の上縁と下縁とが波状に形成されており、
前記バック部は、連続気泡樹脂を両面から布材で挟んで熱圧縮により構成されており、
少なくとも前記バック部の上縁部若しくは下縁部が隣接部分よりも高い圧縮率で薄く形成されており、
前記バック部の長手方向において、前記薄く形成された部分とその隣接部分との境界線が蛇行状に延在していることを特徴とするブラジャー。
【請求項２】
着用状態において、
左右一対のカップ部と、前記左右のカップ部を連結する土台部と、前記土台部の脇側に連結し背部に延びる左右一対のバック部と、を備え、
前記バック部の上縁と下縁とが波状に形成されており、
前記バック部は、連続気泡樹脂を両面から布材で挟んで熱圧縮により構成されており、
少なくとも前記バック部の上縁部若しくは下縁部が隣接部分よりも高い圧縮率で薄く形成されており、
前記バック部の長手方向において、前記薄く形成された部分とその隣接部分との境界線が蛇行状に延在していることを特徴とするブラジャー。
【請求項３】
前記カップ部および前記バック部は、一体成型により形成されることを特徴とする請求項１に記載のブラジャー。
【請求項４】
前記土台部の脇側には、前記土台部を横断するように可撓性を有するボーン部材が設けられることを特徴とする請求項２に記載のブラジャー。
【請求項５】
前記バック部において、前記薄く形成された部分の隣接部分の通気性が１３．３ｃｍ３／ｃｍ２・ｓｅｃ以上であることを特徴とする請求項１〜４のいずれか一項に記載のブラジャー。
【請求項６】
前記連続気泡樹脂は、ポリウレタンであることを特徴とする請求項１〜５のいずれか一項に記載のブラジャー。
【請求項７】
着用状態において、
左右一対のカップ部と、前記カップ部の脇側に連結し背部に延びる左右一対のバック部と、を備え、
前記バック部は、上縁部と、下縁部と、前記上縁部と前記下縁部との間に配置される本体部とを有し、連続気泡樹脂を両面から布材で挟んで熱圧縮により構成されており、
前記バック部の前記上縁部および前記下縁部は、前記本体部よりも高い圧縮率で薄く形成されており、
前記バック部の上下方向において、前記上縁部の幅をＷ１とし、前記本体部の幅をＷ２とし、前記下縁部の幅Ｗ３としたときに、「Ｗ２＞Ｗ３＞Ｗ１」なる関係式を満たすことを特徴とするブラジャー。
【請求項８】
着用状態において、
左右一対のカップ部と、前記左右のカップ部を連結する土台部と、前記土台部の脇側に連結し背部に延びる左右一対のバック部と、を備え、
前記バック部は、上縁部と、下縁部と、前記上縁部と前記下縁部との間に配置される本体部とを有し、連続気泡樹脂を両面から布材で挟んで熱圧縮により構成されており、
前記バック部の前記上縁部および前記下縁部は、前記本体部よりも高い圧縮率で薄く形成されており、
前記バック部の上下方向において、前記上縁部の幅をＷ１とし、前記本体部の幅をＷ２とし、前記下縁部の幅Ｗ３としたときに、「Ｗ２＞Ｗ３＞Ｗ１」なる関係式を満たすことを特徴とするブラジャー。
【発明の詳細な説明】
【技術分野】
【０００１】
本発明はブラジャーに関する。
【背景技術】
【０００２】
従来のブラジャーとして、例えば、特許文献１には、カップ部およびバック部を含む一体成型で形成された外カップ層と内綿層とを緊密に貼合することにより形成されるブラジャーが開示されている。また、特許文献２に記載されているブラジャーでは、熱可塑性的に溶融可能な繊維材からなる左、右サイト部が熱プレスにより結合されている。
【特許文献１】実用新案登録第３０８７１４４号公報
【特許文献２】特許第３０５７０２７号公報
【発明の開示】
【発明が解決しようとする課題】
【０００３】
しかし、上記のブラジャーでは、着用状態において、バック部の端部である上縁および下縁に力がかからないため、バック部の端部にはめくれや浮きが生じやすく、バック部の安定性が欠けている。また、バック部が一体成型や熱可塑性の繊維を熱成型することにより形成されるため、バック部の通気性が悪いという問題があった。
【０００４】
本発明は、このような問題に鑑みてなされたものであり、バック部の安定性および通気性を向上するブラジャーを提供することにある。
【課題を解決するための手段】
【０００５】
本発明に係るブラジャーは、着用状態において、左右一対のカップ部と、カップ部の脇側に連結し背部に延びる左右一対のバック部と、を備え、バック部の上縁と下縁とが波状に形成されており、バック部は、連続気泡樹脂を両面から布材で挟んで熱圧縮により構成されており、少なくともバック部の上縁部若しくは下縁部が隣接部分よりも高い圧縮率で薄く形成されており、バック部の長手方向において、薄く形成された部分とその隣接部分との境界線が蛇行状に延在していることを特徴とする。
【０００６】
本発明によれば、バック部が連続気泡樹脂を両面から布材で挟んで熱圧縮により構成され、少なくともバック部の上縁部若しくは下縁部が隣接部分よりも高い圧縮率で薄く形成されているため、バック部の上縁部若しくは下縁部またはこれらのすべては隣接部分より低い伸縮性を有することとなる。このため、着用状態において、これらの部分の押さえが強くなり、上縁部もしくは下縁部またはこれらのすべては肌に密着にフィットし、縁部が肌から浮き上がることやめくれのような不都合の発生を防止でき、バック部の安定性を向上することができる。そして、連続気泡樹脂を用いることにより、無数の気泡がバック部の内部で相互に連続しているため、バック部の両面間で気泡による空隙が連続しており、充分な通気性が確保される。また、バック部の上縁および下縁が波状に形成されているので、この上縁および下縁は着用者の肌にフィットしやすく、肌にかかる力を緩和し、縁部による肌への食い込むことを防止する効果をもたらし、やさしい着け心地が得られる。しかも、バック部の長手方向において、薄く形成された部分とその隣接部分との境界線が蛇行状に延在しているので、バック部の安定性を確保できると共に、通気性の良い部分の範囲を拡大させることにより、高い圧縮率を有する上縁部若しくは下縁部またはこれらのすべての部分の通気性を改善し、蒸れの抑制が図られる。
【０００７】
また、本発明に係るブラジャーは、着用状態において、左右一対のカップ部と、左右のカップ部を連結する土台部と、土台部の脇側に連結し背部に延びる左右一対のバック部と、を備え、バック部の上縁と下縁とが波状に形成されており、バック部は、連続気泡樹脂を両面から布材で挟んで熱圧縮により構成されており、少なくともバック部の上縁部若しくは下縁部が隣接部分よりも高い圧縮率で薄く形成されており、バック部の長手方向において、薄く形成された部分とその隣接部分との境界線が蛇行状に延在していることを特徴とする。
【０００８】
本発明によれば、左右のカップ部を連結する土台部が設けられ、バック部が土台部の脇側に連結されるため、土台部とバック部との協働によりバック部の安定性を向上することができる。さらに、バック部については、上述したものと同様の作用効果を有する。
【０００９】
本発明に係るブラジャーにおいて、カップ部およびバック部は、一体成型により形成されることとしてもよい。このようにすれば、ブラジャーの製造が簡単化され、作業性を向上できると共に、カップ部とバック部とを連結するための縫い目が生じないため、縫い目による肌への不快感を与えることはなく、快適な着け心地が得られる。
【００１０】
また、本発明に係るブラジャーにおいて、土台部の脇側には、土台部を横断するように可撓性を有するボーン部材が設けられることとしてもよい。このようにすれば、可撓性を有するボーン部材によって脇部分における安定性を高め、バック部との協働によりさらなるバック部の安定性を向上できる。
【００１１】
また、本発明に係るブラジャーにおいて、バック部において、薄く形成された部分の隣接部分の通気性が１３．３ｃｍ３／ｃｍ２・ｓｅｃ以上であることとしてもよい。このようにすれば、バック部の通気性が改善され、蒸れの発生を抑制することができる。
【００１２】
また、本発明に係るブラジャーにおいて、連続気泡樹脂は、ポリウレタンであることとしてもよい。このようにすれば、ポリウレタンは肌触りが良く、かつ通気性が良好で肌にやさしい材質のため、快適な着け心地が得られる。また、ポリウレタンは安価のため、コストを削減する効果が期待できる。
【００１３】
本発明に係るブラジャーは、着用状態において、左右一対のカップ部と、カップ部の脇側に連結し背部に延びる左右一対のバック部と、を備え、バック部は、上縁部と、下縁部と、上縁部と下縁部との間に配置される本体部とを有し、連続気泡樹脂を両面から布材で挟んで熱圧縮により構成されており、バック部の上縁部および下縁部は、本体部よりも高い圧縮率で薄く形成されており、バック部の上下方向において、上縁部の幅をＷ１とし、本体部の幅をＷ２とし、下縁部の幅Ｗ３としたときに、「Ｗ２＞Ｗ３＞Ｗ１」なる関係式を満たすことを特徴とする。
【００１４】
本発明によれば、バック部が連続気泡樹脂を両面から布材で挟んで熱圧縮により構成され、バック部の上縁部および下縁部が本体部よりも高い圧縮率で薄く形成されているため、バック部の上縁部および下縁部は本体部より低い伸縮性を有することとなる。このため、着用状態において、これらの部分の押さえが強くなり、上縁部および下縁部は肌に密着にフィットし、バック部の安定性を向上することができる。そして、連続気泡樹脂を用いることにより、無数の気泡がバック部の内部で相互に連続しているため、バック部の両面間で気泡による空隙が連続しており、充分な通気性が確保される。さらに、バック部の上下方向において、上縁部の幅をＷ１とし、本体部の幅をＷ２とし、下縁部の幅Ｗ３としたときに、「Ｗ２＞Ｗ３＞Ｗ１」なる関係式を満たすため、バック部の通気性を確保することができると共に、着用時にバック部の下縁部に生じる横方向に引く力を大きくすることにより、カップ部を上方に持ち上げる力を高め、優れたバストの造形性を実現できる。
【００１５】
本発明に係るブラジャーは、着用状態において、左右一対のカップ部と、左右のカップ部を連結する土台部と、土台部の脇側に連結し背部に延びる左右一対のバック部と、を備え、バック部は、上縁部と、下縁部と、上縁部と下縁部との間に配置される本体部とを有し、連続気泡樹脂を両面から布材で挟んで熱圧縮により構成されており、バック部の上縁部および下縁部は、本体部よりも高い圧縮率で薄く形成されており、バック部の上下方向において、上縁部の幅をＷ１とし、本体部の幅をＷ２とし、下縁部の幅Ｗ３としたときに、「Ｗ２＞Ｗ３＞Ｗ１」なる関係式を満たすことを特徴とする。
【００１６】
本発明によれば、左右のカップ部を連結する土台部が設けられ、バック部が土台部の脇側に連結されるため、土台部とバック部との協働によりバック部の安定性を向上することができる。さらに、バック部については、上述したものと同様の作用効果を有する。
【発明の効果】
【００１７】
本発明によれば、バック部の安定性および通気性を向上するブラジャーを提供することができる。
【発明を実施するための最良の形態】
【００１８】
以下、添付図面を参照して、本発明の好適な実施形態に係るブラジャーを説明する。なお、本明細書において、上下、左右および前後の方向は、ブラジャーの着用者から見た方向である。また、図面の説明において同一又は同等の構成要素には、同一符号を用いることとし、重複する説明は省略する。
【００１９】
図１は第１実施形態に係るブラジャー１０を外側（前側）から見た平面図であり、図２はブラジャー１０を示す斜視図である。図示のように、ブラジャー１０は、前中心の左右両側に配置され連結された一対のカップ部１２と、カップ部１２の下縁部にそれぞれ配置された円弧状のカップワイヤ部１４と、カップ部１２の両脇側に連結され後背部に延びる左右一対の帯状のバック部１６と、バック部１６それぞれの後背側端部に設けられ、互いに係脱自在のホック１８とを備えている。なお、カップ部１２およびバック部１６は一体成型により形成されている。
【００２０】
また、図２に示すように、ブラジャー１０の肌側において、カップ部１２の脇側上縁部およびバック部１６の上縁部には、ストラップを取り付けるためのストラップ用凹部１３と凹部１５とがそれぞれ設けられている。本実施形態では、ストラップが取り付けられていない、いわゆるストラップレス型のブラジャーであるが、必要に応じてストラップを取り付けても可能である。
【００２１】
本実施形態の一つ特徴として、バック部１６の長手方向において、バック部１６の上縁１６ａと下縁１６ｂとが波状に形成されている。すなわち、バック部１６の上縁１６ａおよび下縁１６ｂは、バック部１６とカップ部１２との連結側からバック部１６の後背側端部に設けられるホック１８側にかけて、滑らかな波状に延在している。
【００２２】
バック部１６は、上縁部１６ｃと、下縁部１６ｄと、上縁部１６ｃと下縁部１６ｄとの間に配置される本体部１６ｅとから構成されている。なお、上縁部１６ｃと下縁部１６ｄとは本体部１６ｅよりも高い圧縮率で薄く形成されている。また、バック部１６の上部において、バック部１６の上縁部１６ｃとその隣接部分である本体部１６ｅとの上側境界線１６ｆが、バック部１６の長手方向に蛇行状に延在している。すなわち、上側境界線１６ｆは、バック部１６とカップ部１２との連結側からバック部１６の後背側端部に設けられるホック１８側にかけて、バック部１６の中央に向かったり、バック部１６の外側に向かったりし、蛇行状ランダムに延在している。同様に、バック部１６の下部において、バック部１６の下縁部１６ｄとその隣接部分である本体部１６ｅとの下側境界線１６ｇが、バック部１６とカップ部１２との連結側からバック部１６の後背側端部に設けられるホック１８側にかけて、バック部１６の中央に向かったり、バック部１６の外側に向かったりし、蛇行状ランダムに延在している。
【００２３】
ここで、図３および図４を参照し、カップ部１２とバック部１６との構造について説明する。図３は図１におけるＩＩＩ−ＩＩＩ線に沿って切断したカップ部１２の概略断面図であり、図４は、図１におけるＩＶ−ＩＶ線に沿って切断したバック部１６の概略断面図である。
【００２４】
図３に示すように、カップ部１２は、バストの形状にマッチしたお椀の形状を有し、外側のカップ表布１２１と肌側のカップ裏布１２３とを有し、その間に４層シート状の芯材１２２，１２４，１２６，１２８を挟んで構成されている。より具体的に説明すると、カップ部１２の内部中央には、バストの形に合わせるようにカップ状に加工された芯材１２４と１２６とが緊密に接合されている。この芯材１２４，１２６の一端（カップ部１２の下縁部）には、ワイヤ１４２が埋め込まれたカップワイヤ部１４が芯材１２４と１２６とにより挟まれた状態で設けられている。そして、芯材１２４，１２６の両側には、芯材１２２と１２８とがそれぞれ外側と肌側とから芯材１２４，１２６を挟むように配置されている。この芯材１２２と１２８とは、芯材１２４，１２６の形を合わせるように弓形状の端面を有し、芯材１２４，１２６よりも大きく形成されている。さらに、この４層の芯材１２２，１２４，１２６，１２８の両側には、カップ表布１２１とカップ裏布１２３とがこれらの芯材を包むように配置されている。
【００２５】
従って、カップ部１２において、バストを包む部分が芯材１２２，１２４，１２６，１２８、カップ表布１２１およびカップ裏布１２３により６層構造に形成され、カップ部１２の上縁部と下縁部とが芯材１２２，１２８、カップ表布１２１およびカップ裏布１２３により４層構造に形成されることとなる。このため、カップ部１２の保形性を高め、バストシルエットを美しく保つことができると共に、カップ部１２の上縁部と下縁部とを肌にフィットさせる効果が期待できる。なお、カップ表布１２１およびカップ裏布１２３にはトリコットや天竺のような合成繊維や天然繊維の織布、編布等の素材が用いられており、芯材１２２，１２４，１２６，１２８には一定の厚みと保形性、弾力性を有し連続気泡樹脂である発泡ポリウレタンが用いられている。そして、このように連続気泡タイプのポリウレタンを用いることにより、形成されたカップ部１２の両面で気泡による空隙が連続しており、良い通気性が得られる。また、ワイヤ１４２は、形状記憶合金などの金属や剛性のあるプラスチック等で成形されており、バストの下部の輪郭に好適にフィットする形状をなしている。
【００２６】
また、図３に示すように、カップ部１２の肌側において、カップ部１２の下部には、凹部１２ａが設けられていることが好適である。このようにすれば、着用状態において、バストのボリュームを下から持ち上げる作用をもたらし、バストに膨らみを持たせることにより存在感のあるバストを造形することができる。
【００２７】
図４示すように、バック部１６は、外側のバック表布１６１と肌側のバック裏布１６３とを有し、その間に２層のシート状の芯材１６２，１６４を挟んで構成されており、バック部１６の肌側（すなわちバック裏布１６３側）が平面状に形成され、バック部１６の外側（すなわちバック表布１６１側）が凸形状に形成されている。バック部１６の上縁部１６ｃと下縁部１６ｄとが、その間に配置される本体部１６ｅよりも高い圧縮率で薄く形成されている。なお、バック表布１６１およびバック裏布１６３にはトリコットや天竺のような合成繊維や天然繊維の織布、編布等の素材が用いられており、芯材１６２，１６４には一定の厚みと保形性、弾力性を有し連続気泡樹脂である発泡ポリウレタンが用いられている。
【００２８】
ここでの圧縮率とは、圧縮力によって生じた変形量が元の厚さに対する割合である。なお、本発明に係るバック部の上縁部および下縁部の圧縮率は９０％〜９５％で、本体部の圧縮率は４５％〜５０％であることが好ましい。本実施形態では、上縁部１６ｃおよび下縁部１６ｄの元の厚さが６ｍｍであり、圧縮後の厚さは０．５ｍｍとなったので、上縁部１６ｃおよび下縁部１６ｄの圧縮率は９２％である。一方、本体部１６ｅの元の厚さが６ｍｍであり、圧縮後の厚さは３ｍｍとなったため、本体部１６ｅの圧縮率は５０％である。
【００２９】
また、カップ部１２およびバック部１６の一体成型は熱圧縮方法が用いられることが好ましい。具体的には、まず、カップ裏布１２３およびバック裏布１６３となる裏布を用意し、その上にシート状に加工されたカップ部１２の芯材１２８およびバック部１６の芯材１６４となる芯材を設置する。次に、カップ部１２に該当する部分に順番にシート状の芯材１２６と１２４とを載せ、カップ部１２の下縁部に該当する側にカップワイヤ１４２入りのカップワイヤ部１４を、芯材１２４および１２６との間に配置させる。そして、シート状に加工されたカップ部１２の芯材１２２およびバック部１６の芯材１６２となる芯材を載せ、さらにその上にカップ表布１２１およびバック表布１６１となる表布を設置する。ここでは、芯材同士の密着性を向上するため、各芯材の間にはパウダー状やネット状の接着剤が用いられることが好ましい。このようなパウダー状やネット状の接着剤を使用することにより、通常の接着剤が芯材同士の通気性を損なうことを抑制できる。
【００３０】
次に、１８０℃〜２２０℃の熱を加えながら、金型を用いて設置された布材および芯材を圧縮させる。このときに、バック部１６の上縁部１６ｃおよび下縁部１６ｄが本体部１６ｅよりも高い圧縮率で薄く形成されるように圧縮率を調整する。最後、カップ部１２およびバック部１６の上縁と下縁をフリーカットで波状に裁断し、本実施形態に係るブラジャー１０が得られる。
【００３１】
本実施形態によれば、バック部１６が連続気泡タイプのポリウレタンを両面から布材で挟んで熱圧縮により構成され、バック部１６の上縁部１６ｃおよび下縁部１６ｄがその間に配置される本体部１６ｅよりも高い圧縮率で薄く形成されるので、バック部１６の上縁部１６ｃおよび下縁部１６ｄは本体部１６ｅよりも低い伸縮性を有することとなる。このため、着用状態において、低い伸縮性を有するバック部１６の上縁部１６ｃおよび下縁部１６ｄの押さえが強くなり、バック部１６の上縁１６ａおよび下縁１６ｂが肌に密着にフィットし、バック部端部が肌から浮き上がることやめくれのような不都合の発生を防止でき、バック部１６の安定性を向上することができる。
【００３２】
また、カップ部１２の芯材１２２，１２４，１２６，１２８およびバック部１６の芯材１６２，１６４には、連続気泡タイプのポリウレタン樹脂が用いられることにより、無数の気泡がバック部１６の内部で相互に連続しているため、カップ部１２およびバック部１６の両面間で気泡による空隙が連続しており、充分な通気性が確保される。従って、バック部１６の本体部１６ｅは、上縁部１６ｃおよび下縁部１６ｄよりも低い圧縮率で形成されたため、上縁部１６ｃおよび下縁部１６ｄよりも良い通気性が得られる。一方、上縁部１６ｃおよび下縁部１６ｄは高い圧縮率で薄く形成されたため、通気性が本体部１６ｅより劣っている。
【００３３】
なお、ここでの通気性とは、圧力を一定にした場合の単位時間・単位面積を通って流れる空気の量のことであり、ＪＩＳ  Ｌ  １０９６：１９９９「一般織物試験方法」に準拠した方法により測定される。本実施形態に係るブラジャー１０のバック部１６において、本体部１６ｅの通気性が１３．３ｃｍ３／ｃｍ２・ｓｅｃ以上であることが好適である。このようにすれば、バック部１６の通気性が改善され、蒸れの発生を抑制することができる。なお、本発明の発明者は、上記の試験方法に基づき本実施形態のバック部１６の通気性測定を実施した。その結果として、バック部１６の本体部１６ｅの通気性が１３．５〜１５．６ｃｍ３／ｃｍ２・ｓｅｃであり、上縁部１６ｃおよび下縁部１６ｄの通気性が１．３〜６．６ｃｍ３／ｃｍ２・ｓｅｃであった。
【００３４】
そして、ポリウレタンは肌にやさしく、しかも安価のため、快適な着け心地が得られると共に、コストを削減する効果をもたらす。さらに、バック部１６の長手方向において、バック部１６の上縁部１６ｃと本体部１６ｅとの上側境界線１６ｆおよびバック部１６の下縁部１６ｄと本体部１６ｅとの下側境界線１６ｇとが蛇行状に延在しているので、バック部１６の安定性を確保できると共に、通気性の良い部分である本体部１６ｅの範囲を拡大させることにより、高い圧縮率で薄く形成された上縁部１６ｃおよび下縁部１６ｄの通気性を改善し、蒸れの抑制が図られる。
【００３５】
また、バック部１６の上縁１６ａおよび下縁１６ｂが滑らかな波状に形成されるため、着用時において、この上縁１６ａおよび下縁１６ｂは着用者の肌にフィットしやすく、肌にかかる力を緩和し、これらの縁部による肌への食い込むことを防止する効果をもたらし、やさしい着け心地が得られる。
【００３６】
さらに、カップ部１２およびバック部１６が一体成型により形成されるため、ブラジャー１０の製造が簡単化され、作業性を向上する効果が期待できる。そして、一体成型によりカップ部１２とバック部１６とを連結するための縫い目が生じないため、縫い目による肌への不快感を与えることはなく、快適な着け心地が得られる。また、バック部１６の上縁部１６ｃおよび下縁部１６ｄは、ポリウレタン製の芯材と布材とを高い圧縮率で熱圧縮することにより形成されるため、その上縁１６ａおよび下縁１６ｂはフリーカットで簡単にできる。従って、端部処理が不要となり、通常の端部縫製処理で形成された段差による肌への摩擦が生じることはなく、且つ端面のほつれ、捲れ等もない。
【００３７】
次に、本発明に係るブラジャーのその他の実施形態を説明する。
【００３８】
図５は第２実施形態に係るブラジャーを前側から見た平面図である。この実施形態に係るブラジャー２０は、土台部２２を有することが上記した第１実施形態と相違している。すなわち、ブラジャー２０は、前中心の左右両側に配置された一対のカップ部１２と、カップ部１２の下縁部にそれぞれ配置された円弧状のカップワイヤ部１４と、両カップ部１２を連結する土台部２２と、土台部２２の脇側に連結し背部に延びる左右一対の帯状のバック布２６と、バック部２６それぞれの後背側端部に設けられ、互いに係脱自在のホック１８とを備えている。なお、カップ部１２および土台部２２は一体成型により形成されたものであり、土台部２２とバック部２６とは縫着により連結されている。また、土台部２２の脇側である土台部２２とバック部２６との縫着部には、土台部２２を横断するように可撓性を有するボーン部材２４が設けられている。その他の構成については第１実施形態と同様のため説明を省略する。
【００３９】
本実施形態によれば、上記の第１実施形態と同様に、バック部２６の安定性を向上することができると共に、連続気泡タイプのポリウレタン樹脂を用いることにより、充分な通気性が確保され、バック部２６における蒸れの抑制が図られる。また、バック部２６の上縁および下縁が滑らかな波状に形成されるため、着用時において、上縁および下縁は着用者の肌にフィットしやすく、肌にかかる力を緩和し、これらの縁部による肌への食い込むことを防止する効果をもたらし、やさしい着け心地が得られる。さらに、ブラジャー２０には土台部２２が設けられ、バック部２６が土台部２２の脇側に連結されており、しかも土台部２２の脇側に可撓性を有するボーン部材２４が設けられるため、このボーン部材２４によって脇部分における安定性を高める効果をもたらし、土台部２２とバック部２６との協働によりさらなるバック部２６の安定性を向上できる。
【００４０】
図６は第３実施形態に係るブラジャーを前側から見た平面図である。この実施形態に係るブラジャー３０は、バック部３６の上側境界線３６ｆと下側境界線３６ｇとの形状およびバック部３６の上縁部３６ｃと下縁部３６ｄとの幅が上記の第１実施形態と相違している。具体的には、バック部３６は上縁部３６ｃと、下縁部３６ｄと、上縁部３６ｃと下縁部３６ｄとの間に配置される本体部３６ｅとから構成されている。バック部３６の上部において、上縁部３６ｃとその隣接部分である本体部３６ｅとの上側境界線３６ｆが、バック部３６の上縁３６ａの波形状に沿って一定の幅Ｗ１を保ちながら、バック部３６とカップ部１２との連結側からバック部３６の後背側端部に設けられるホック１８側にかけて延在している。同様に、バック部３６の下部において、下縁部３６ｄとその隣接部分である本体部３６ｅとの下側境界線３６ｇが、バック部３６の下縁３６ｂの波形状に沿って一定の幅Ｗ３を保ちながら、バック部３６とカップ部１２との連結側からバック部３６の後背側端部に設けられるホック１８側にかけて延在している。また、着用時にバック部３６の上下方向において、上縁部３６ｃの幅Ｗ１と、本体部３６ｅの幅Ｗ２と、下縁部３６ｄの幅Ｗ３とは、「Ｗ２＞Ｗ３＞Ｗ１」なる関係式を満たしている。なお、その他の構成については第１実施形態と同様のため、説明を省略する。
【００４１】
本実施形態によれば、上記の第１実施形態と同様に、上縁部３６ｃおよび下縁部３６ｄが肌に密着にフィットし、バック部３６の安定性を向上できると共に、連続気泡樹脂を用いることにより、充分な通気性が確保され、バック部３６における蒸れの抑制が図られる。また、バック部３６の上縁３６ａおよび下縁３６ｂが滑らかな波状に形成されるため、着用時において、この上縁３６ａおよび下縁３６ｂは着用者の肌にフィットしやすく、肌にかかる力を緩和し、これらの縁部による肌への食い込むことを防止する効果をもたらし、やさしい着け心地が得られる。さらに、本実施形態はバック部３６の上下方向において、上縁部３６ｃの幅Ｗ１と、本体部３６ｅの幅Ｗ２と、下縁部３６ｄの幅Ｗ３とは、「Ｗ２＞Ｗ３＞Ｗ１」なる関係式を満たしているため、通気性の良い本体部３６ｅの幅Ｗ２を大きく確保することにより、バック部３６の通気性を維持できると共に、下縁部３６ｄの幅Ｗ３を上縁部３６ｃの幅Ｗ１より大きくすることで、着用時にバック部３６の下縁部３６ｄに生じる横方向に引く力を高めることができる。このため、カップ部１２を上方に持ち上げる力が強められ、優れたバストの造形性を実現できる。
【００４２】
図７は第４実施形態に係るブラジャーを前側から見た平面図である。この実施形態に係るブラジャー４０は、土台部４２を有すること、バック部４６の上側境界線４６ｆと下側境界線４６ｇとの形状、および上縁部４６ｃと下縁部４６ｄとの幅が上記の第１実施形態と相違している。具体的には、ブラジャー４０は、前中心の左右両側に配置された一対のカップ部１２と、カップ部１２の下縁部にそれぞれ配置された円弧状のカップワイヤ部１４と、両カップ部１２を連結する土台部４２と、土台部４２の脇側に連結し背部に延びる左右一対の帯状のバック布４６と、バック部４６それぞれの後背側端部に設けられ、互いに係脱自在のホック１８とを備えている。カップ部１２および土台部４２は一体成型により形成されたものであり、土台部４２とバック部４６とは縫着により連結されている。土台部４２の脇側である土台部４２とバック部４６との縫着部には、土台部４２を横断するように可撓性を有するボーン部材４４が設けられている。
【００４３】
また、バック部４６は上縁部４６ｃと、下縁部４６ｄと、上縁部４６ｃと下縁部４６ｄとの間に配置される本体部４６ｅとから構成されている。バック部４６の上部において、上縁部４６ｃとその隣接部分である本体部４６ｅとの上側境界線４６ｆが、バック部４６の上縁４６ａの波形状に沿って一定の幅Ｗ１を保ちながら、バック部４６と土台部４２との連結側からバック部４６の後背側端部に設けられるホック１８側にかけて延在している。同様に、バック部４６の下部において、バック部４６の下縁部４６ｄとその隣接部分である本体部４６ｅとの下側境界線４６ｇが、バック部４６の下縁４６ｂの波形状に沿って一定の幅Ｗ３を保ちながら、バック部４６と土台部４２との連結側からバック部４６の後背側端部に設けられるホック１８側にかけて延在している。また、着用時にバック部４６の上下方向において、上縁部４６ｃの幅Ｗ１と、本体部４６ｅの幅Ｗ２と、下縁部４６ｄの幅Ｗ３とは、「Ｗ２＞Ｗ３＞Ｗ１」なる関係式を満たしている。なお、その他の構成については第１実施形態と同様のため、説明を省略する。
【００４４】
本実施形態によれば、上記の第１実施形態と同様に、上縁部４６ｃおよび下縁部４６ｄが肌に密着にフィットし、バック部４６の安定性を向上することができると共に、連続気泡樹脂を用いることにより、充分な通気性が確保され、バック部４６における蒸れの抑制が図られる。また、バック部４６の上縁４６ａおよび下縁４６ｂが滑らかな波状に形成されるため、着用時において、この上縁４６ａおよび下縁４６ｂは着用者の肌にフィットしやすく、肌にかかる力を緩和し、これらの縁部による肌への食い込むことを防止する効果をもたらし、やさしい着け心地が得られる。さらに、本実施形態はバック部４６の上下方向において、上縁部４６ｃの幅Ｗ１と、本体部４６ｅの幅Ｗ２と、下縁部４６ｄの幅Ｗ３とは、「Ｗ２＞Ｗ３＞Ｗ１」なる関係式を満たしているため、通気性の良い本体部４６ｅの幅Ｗ２を大きく確保することにより、バック部４６の通気性を維持できると共に、下縁部４６ｄの幅Ｗ３を上縁部４６ｃの幅Ｗ１より大きくすることで、着用時にバック部の下縁部４６ｄに生じる横方向に引く力を高めることができる。このため、カップ部１２を上方に持ち上げる力が強められ、優れたバストの造形性を実現できる。また、ブラジャー４０には土台部４２が設けられ、バック部４６が土台部４２の脇側に連結されており、しかも土台部４２の脇側に可撓性を有するボーン部材４４が設けられるため、このボーン部材４４によって脇部分における安定性を高める効果をもたらし、土台部４２とバック部４６との協働によりさらなるバック部４６の安定性を向上できる。
【００４５】
なお、本発明は、上記実施形態に限定されるものではない。例えば、上記の第１実施形態では、バック部１６の上縁部１６ｃと本体部１６ｅとの上側境界線１６ｆおよび下縁部１６ｄと本体部１６ｅとの下側境界線１６ｇの模様は、上記図示の模様に限らず、種々の変形が可能である。また、本発明はカップ部１２の保形性に優れたワイヤフォーム型ブラジャーに特に好適であるが、ノンワイヤのブラジャーにも適用できる。また、カップ部１２をフルカップ、３／４カップ、ハーフカップのブラジャー等に適用される。
【００４６】
また、上記の第３、第４実施形態では、バック部３６，４６の上縁３６ａ，４６ａと、下縁３６ｂ，４６ｂと、上側境界線３６ｆ，４６ｆと、下側境界線３６ｇ，４６ｇとは、波状に形成されているが、これに限らず、直線状に形成されてもよい。但し、着用者の肌によりフィットすることを考慮した場合、波状に形成されることが好ましい。
【図面の簡単な説明】
【００４７】
【図１】第１実施形態に係るブラジャーを前側から見た平面図である。
【図２】第１実施形態に係るブラジャーを肌側から見た平面図である。
【図３】図１におけるＩＩＩ−ＩＩＩ線断面図。
【図４】図１におけるＩＶ−ＩＶ線断面図である。
【図５】第２実施形態に係るブラジャーを前側から見た平面図である。
【図６】第３実施形態に係るブラジャーを前側から見た平面図である。
【図７】第４実施形態に係るブラジャーを前側から見た平面図である。
【符号の説明】
【００４８】
１０，２０，３０，４０…ブラジャー、１２…カップ部、１６，２６，３６，４６…バック部、１６ａ，３６ａ，４６ａ…バック部の上縁、１６ｂ，３６ｂ，４６ｂ…バック部の下縁、１６ｃ，３６ｃ，４６ｃ…バック部の上縁部、１６ｄ，３６ｄ，４６ｄ…バック部の下縁部、１６ｅ，３６ｅ，４６ｅ…バック部の本体部、１６ｆ，３６ｆ，４６ｆ…上側境界線、１６ｇ，３６ｇ，４６ｇ…下側境界線、２２，４２…土台部、２４，４４…ボーン部材、１６１…バック表布、１６３…バック裏布、１６２，１６４…芯材。
【図１】
2006322124.tif 000003
【図２】
2006322124.tif 000004
【図３】
2006322124.tif 000005
【図４】
2006322124.tif 000006
【図５】
2006322124.tif 000007
【図６】
2006322124.tif 000008
【図７】
2006322124.tif 000009